(57)【要約】【課題】  ズーム比が３倍程度で、ズーミングに際してＦナンバーが固定で、防振機能を有する大口径望遠ズームレンズを提供する。【解決手段】  本発明のズームレンズは、物体側から順に、正の屈折力を有する第１レンズ群と、負の屈折力を有する第２レンズ群と、正の屈折力を有する第３レンズ群と、正の屈折力を有する最終レンズ群とを備え、ズーミングに際し、前記第１レンズ群と最終レンズ群は固定であり、前記最終レンズ群は、物体側から順に、レンズ群Ａ、正の屈折力のレンズ群Ｂ、レンズ群Ｃからなり、前記レンズ群Ａは２枚以上の正レンズと１枚以上の負レンズを有し、前記レンズ群Ｂは１枚以上の正レンズと１枚以上の負レンズを有し、前記レンズ群Ｂを光軸に対して垂直方向の成分を持つように移動させることにより像位置補正を行うことを特徴とする。【選択図】図１
2018072581.tif 000002
【特許請求の範囲】
【請求項１】
物体側から順に、正の屈折力を有する第１レンズ群と、負の屈折力を有する第２レンズ群と、正の屈折力を有する第３レンズ群と、正の屈折力を有する最終レンズ群とを備え、
ズーミングに際し、前記第１レンズ群と最終レンズ群は固定であり、
前記最終レンズ群は、物体側から順に、レンズ群Ａ、正の屈折力のレンズ群Ｂ、レンズ群Ｃからなり、前記レンズ群Ａは２枚以上の正レンズと１枚以上の負レンズを有し、前記レンズ群Ｂは１枚以上の正レンズと１枚以上の負レンズを有し、前記レンズ群Ｂを光軸に対して垂直方向の成分を持つように移動させることにより像位置補正を行うことを特徴とするズームレンズ。
【請求項２】
以下の条件を満足することを特徴とする請求項１に記載のズームレンズ。
（１）  ０．２＜ｆＢ／ｆＮ＜０．８５
ただし、
ｆＢ：レンズ群Ｂの焦点距離
ｆＮ：最終レンズ群の焦点距離
【請求項３】
以下の条件を満足することを特徴とする請求項１又は２に記載のズームレンズ。
（２）  ｜ｆＢ／ｆＣ｜＜０．８
ただし、
ｆＣ：レンズ群Ｃの焦点距離
【請求項４】
以下の条件を満足することを特徴とする請求項１乃至３のいずれかに記載のズームレンズ。
（３）  ｜ｆＢ／ｆＡ｜＜０．５
ただし、
ｆＡ：レンズ群Ａの焦点距離
【請求項５】
以下の条件を満足することを特徴とする請求項１乃至４のいずれかに記載のズームレンズ。
（４）  １．０＜βＣｔ×（１−βＢｔ）
ただし、
βＢｔ：レンズ群Ｂの望遠端における物体距離無限遠での横倍率
βＣｔ：レンズ群Ｃの望遠端における物体距離無限遠での横倍率
【請求項６】
フォーカシングに際し、前記第２レンズ群と最終レンズ群との間に配置された少なくとも一つのレンズ群が光軸に沿って移動することを特徴とする請求項１乃至５のいずれかに記載のズームレンズ。
【請求項７】
前記最終レンズは物体側から順に、正の屈折力のレンズ群Ａ、正の屈折力のレンズ群Ｂ、負の屈折力のレンズ群Ｃからなることを特徴とする請求項１乃至６のいずれかに記載のズームレンズ。
【請求項８】
前記最終レンズ群内に開口絞りを含むことを特徴とする請求項１乃至７のいずれかに記載のズームレンズ。
【発明の詳細な説明】
【技術分野】
【０００１】
本発明はデジタルスチルカメラ、ビデオカメラ等の撮像装置に好適な撮影レンズの光学系であって、ズーム比が３倍程度で、ズーミングに際してＦナンバーが固定で、防振機能を有する大口径望遠ズームレンズに関する。
【背景技術】
【０００２】
近年、デジタルスチルカメラ、ビデオカメラ等の撮像装置の高画素化が進んでおり、３５ｍｍフルサイズの撮像素子であってもそのピクセルピッチは縮まる傾向にある。これにともなって撮像素子へ結像するための撮影レンズに高い光学性能が要求されるようになり、高画素化された撮像装置に適応するための光学系に関する多くの技術が提案されている。
【０００３】
また、望遠ズームレンズのような画角の狭い光学系では、撮影時に加わる振動による画像ブレを補償するための防振機能が要求されており、防振機能を有する望遠ズームレンズに関する技術が従来より提案されている。
【０００４】
また、動きの速い遠くにある被写体を撮るためのシャッタースピードを常に得るため、望遠ズームレンズであってもＦナンバーが小さく、ズーミングに際してＦ値が固定であることが要求されており、Ｆナンバーがズーム全域で固定である望遠ズームレンズに関する技術が従来より提案されている。
【０００５】
従来、望遠ズームレンズには、特に、変倍時に光学全長が固定の、物体側から正負正正の屈折力配置をとる４群ズームレンズが基本形として多く採用されている。この正負正正の４群ズームレンズは、構成するそれぞれのレンズ群が、変倍作用を担うバリエータとしての第２レンズ群、ズーミングにより生じるピントずれの補正作用を担うコンペンセータとしての第３レンズ群、結像作用を担うリレー系としての第４レンズ群、というように明確な役割分担がされており、さらに、レンズ径が大きく重量も大きい第１レンズ群が変倍時に不動であるため変倍機構の大型化や複雑化を避けられるというメリットがある。
【０００６】
従来、ズーム比が３倍程度で、ズーミングに際してＦナンバーが固定で、防振機能を有する望遠ズームレンズが、以下の特許文献等に開示されている。
【先行技術文献】
【特許文献】
【０００７】
【特許文献１】特開平８−２７８４４５号公報
【特許文献２】特開平９−３２５２６９号公報
【発明の概要】
【発明が解決しようとする課題】
【０００８】
しかしながら、特許文献１に開示された防振機能を有するズームレンズは、複数のレンズから構成される防振レンズ群内のレンズ面間隔が長いために可動となる防振レンズ群全体が大きくなり、これにより防振機構が大型化してしまう課題を有している。さらに、防振レンズ群内にフレア絞りを有していることも防振機構の大型化の課題の要因となっている。
【０００９】
また、特許文献１に開示された防振機能を有するズームレンズは、防振レンズ群が単数のレンズから構成される場合であっても、防振時の防振レンズ群自体における色収差の補正が困難であり光学性能が低下するという課題を有している。
【００１０】
特許文献２に開示された像位置補正光学系は、防振レンズ群を２枚のレンズより構成することで防振レンズ群の小型化が図られているが、この像位置補正光学系をズームレンズへ適用した場合のＦナンバーは４程度でしかない。
【００１１】
また、特許文献２に開示された像位置補正光学系をＦナンバーが２．８程度の大口径のズームレンズに適用しようとした場合には、防振レンズ群の径が大きくなるため防振機構の大型化という課題が生じる。
【００１２】
防振機能を有する光学系において、像位置補正を行うために光軸に対して垂直方向の成分を持つように移動させる防振レンズ群については、一般的に様々な条件が要求される。
【００１３】
防振機能を有する光学系では、レンズ鏡筒内部に防振レンズ群を移動させるための防振機構と、防振レンズ群が移動可能となる範囲の空間が必要となる。レンズ鏡筒の大型化を避け、防振機構の大型化を抑制するためには、防振時の防振レンズ群の移動量を適切に設定することが重要な課題となる。
【００１４】
防振時の防振レンズ群の移動量は、防振レンズ群の屈折力や防振敏感度を適切に設定することにより設定可能である。ここで、防振敏感度は、防振レンズ群の単位移動量ΔＳに対する画像ブレの補正量ΔＸの比（ΔＸ／ΔＳ）で表される。
【００１５】
また、防振機能を有する光学系において良好な光学性能を得るためには、防振時の収差変動を抑える必要がある。防振時に防振レンズ群がシフトした際の収差変動を少なくするためには、防振レンズ群を多くの枚数のレンズで構成するか、その屈折力を小さくすればよい。
【００１６】
しかしながら、防振レンズ群を構成するレンズ枚数が多くなると、防振レンズ群の重量が増大して防振機構が大型化したり、防振時の画像ぶれ補正の応答性が低下してしまう。また、一般的に、防振レンズ群の屈折力が小さくなると防振敏感度も小さくなるため、防振時の防振レンズ群の移動量が大きくなる。これにより、防振機構が大型化してレンズ鏡筒が大型化してしまう。
【００１７】
本発明は、防振機構の大型化を抑制し、防振時の光学性能の変動を小さくして良好な光学性能を得ることが可能で、ズーム比が３倍程度で、ズーミングに際してＦナンバーが固定である、防振機能を有する大口径望遠ズームレンズを提供することを目的とする。
【課題を解決するための手段】
【００１８】
上記の課題を解決するため、本発明の第１の発明に係る防振機能を有する大口径望遠ズームレンズは、物体側から順に、正の屈折力を有する第１レンズ群と、負の屈折力を有する第２レンズ群と、正の屈折力を有する第３レンズ群と、正の屈折力を有する最終レンズ群とを備え、ズーミングに際し、前記第１レンズ群と最終レンズ群は固定であり、前記最終レンズ群は、物体側から順に、レンズ群Ａ、正の屈折力のレンズ群Ｂ、レンズ群Ｃからなり、前記レンズ群Ａは２枚以上の正レンズと１枚以上の負レンズを有し、前記レンズ群Ｂは１枚以上の正レンズと１枚以上の負レンズを有し、前記レンズ群Ｂを光軸に対して垂直方向の成分を持つように移動させることにより像位置補正を行うことを特徴とする。
【００１９】
また、本発明の第２の発明に係る防振機能を有する大口径望遠ズームレンズは、以下の条件を満足することを特徴とする。
（１）  ０．２＜ｆＢ／ｆＮ＜０．８５
ただし、
ｆＢ：レンズ群Ｂの焦点距離
ｆＮ：最終レンズ群の焦点距離
【００２０】
また、本発明の第３の発明に係る防振機能を有する大口径望遠ズームレンズは、以下の条件を満足することを特徴とする。
（２）  ｜ｆＢ／ｆＣ｜＜０．８
Sただし、
ｆＣ：レンズ群Ｃの焦点距離
【００２１】
また、本発明の第４の発明に係る防振機能を有する大口径望遠ズームレンズは、以下の条件を満足することを特徴とする。
（３）  ｜ｆＢ／ｆＡ｜＜０．５
ただし、
ｆＡ：レンズ群Ａの焦点距離
【００２２】
また、本発明の第５の発明に係る防振機能を有する大口径望遠ズームレンズは、以下の条件を満足することを特徴とする。
（４）  １．０＜βＣｔ×（１−βＢｔ）
ただし、
βＢｔ：レンズ群Ｂの望遠端における物体距離無限遠での横倍率
βＣｔ：レンズ群Ｃの望遠端における物体距離無限遠での横倍率
【００２３】
また、本発明の第６の発明に係る防振機能を有する大口径望遠ズームレンズは、フォーカシングに際し、前記第２レンズ群と最終レンズ群との間に配置された少なくとも一つのレンズ群が光軸に沿って移動することを特徴とする。
【００２４】
また、本発明の第７の発明に係る防振機能を有する大口径望遠ズームレンズは、前記最終レンズは物体側から順に、正の屈折力のレンズ群Ａ、正の屈折力のレンズ群Ｂ、負の屈折力のレンズ群Ｃからなることを特徴とする。
【００２５】
また、本発明の第８の発明に係る防振機能を有する大口径望遠ズームレンズは、前記最終レンズ群内に開口絞りを含むことを特徴とする。
【図面の簡単な説明】
【００２６】
【図１】実施例１の無限遠合焦時のレンズ構成図である。
【図２】実施例１の広角端における無限遠合焦時の縦収差図である。
【図３】実施例１の中間焦点距離における無限遠合焦時の縦収差図である。
【図４】実施例１の望遠端における無限遠合焦時の縦収差図である。
【図５】実施例１の広角端における無限遠合焦時の横収差図である。
【図６】実施例１の中間焦点距離における無限遠合焦時の横収差図である。
【図７】実施例１の望遠端における無限遠合焦時の横収差図である。
【図８】実施例１の防振時に振れ角度０．３°を補正した際の広角端における無限遠合焦時の横収差図である。
【図９】実施例１の防振時に振れ角度０．３°を補正した際の中間焦点距離における無限遠合焦時の横収差図である。
【図１０】実施例１の防振時に振れ角度０．３°を補正した際の望遠端における無限遠合焦時の横収差図である。
【図１１】実施例２の無限遠合焦時のレンズ構成図である。
【図１２】実施例２の広角端における無限遠合焦時の縦収差図である。
【図１３】実施例２の中間焦点距離における無限遠合焦時の縦収差図である。
【図１４】実施例２の望遠端における無限遠合焦時の縦収差図である。
【図１５】実施例２の広角端における無限遠合焦時の横収差図である。
【図１６】実施例２の中間焦点距離における無限遠合焦時の横収差図である。
【図１７】実施例２の望遠端における無限遠合焦時の横収差図である。
【図１８】実施例２の防振時に振れ角度０．３°を補正した際の広角端における無限遠合焦時の横収差図である。
【図１９】実施例２の防振時に振れ角度０．３°を補正した際の中間焦点距離における無限遠合焦時の横収差図である。
【図２０】実施例２の防振時に振れ角度０．３°を補正した際の望遠端における無限遠合焦時の横収差図である。
【図２１】実施例３の無限遠合焦時のレンズ構成図である。
【図２２】実施例３の広角端における無限遠合焦時の縦収差図である。
【図２３】実施例３の中間焦点距離における無限遠合焦時の縦収差図である。
【図２４】実施例３の望遠端における無限遠合焦時の縦収差図である。
【図２５】実施例３の広角端における無限遠合焦時の横収差図である。
【図２６】実施例３の中間焦点距離における無限遠合焦時の横収差図である。
【図２７】実施例３の望遠端における無限遠合焦時の横収差図である。
【図２８】実施例３の防振時に振れ角度０．３°を補正した際の広角端における無限遠合焦時の横収差図である。
【図２９】実施例３の防振時に振れ角度０．３°を補正した際の中間焦点距離における無限遠合焦時の横収差図である。
【図３０】実施例３の防振時に振れ角度０．３°を補正した際の望遠端における無限遠合焦時の横収差図である。
【図３１】実施例４の無限遠合焦時のレンズ構成図である。
【図３２】実施例４の広角端における無限遠合焦時の縦収差図である。
【図３３】実施例４の中間焦点距離における無限遠合焦時の縦収差図である。
【図３４】実施例４の望遠端における無限遠合焦時の縦収差図である。
【図３５】実施例４の広角端における無限遠合焦時の横収差図である。
【図３６】実施例４の中間焦点距離における無限遠合焦時の横収差図である。
【図３７】実施例４の望遠端における無限遠合焦時の横収差図である。
【図３８】実施例４の防振時に振れ角度０．３°を補正した際の広角端における無限遠合焦時の横収差図である。
【図３９】実施例４の防振時に振れ角度０．３°を補正した際の中間焦点距離における無限遠合焦時の横収差図である。
【図４０】実施例４の防振時に振れ角度０．３°を補正した際の望遠端における無限遠合焦時の横収差図である。
【図４１】実施例５の無限遠合焦時のレンズ構成図である。
【図４２】実施例５の広角端における無限遠合焦時の縦収差図である。
【図４３】実施例５の中間焦点距離における無限遠合焦時の縦収差図である。
【図４４】実施例５の望遠端における無限遠合焦時の縦収差図である。
【図４５】実施例５の広角端における無限遠合焦時の横収差図である。
【図４６】実施例５の中間焦点距離における無限遠合焦時の横収差図である。
【図４７】実施例５の望遠端における無限遠合焦時の横収差図である。
【図４８】実施例５の防振時に振れ角度０．３°を補正した際の広角端における無限遠合焦時の横収差図である。
【図４９】実施例５の防振時に振れ角度０．３°を補正した際の中間焦点距離における無限遠合焦時の横収差図である。
【図５０】実施例５の防振時に振れ角度０．３°を補正した際の望遠端における無限遠合焦時の横収差図である。
【発明を実施するための形態】
【００２７】
以下、本発明に係る防振機能を有する大口径望遠ズームレンズの実施例について説明する。
【００２８】
本実施例の防振機能を有する大口径望遠ズームレンズのレンズ構成図を、図１、図１１、図２１、図３１、図４１に示す。
【００２９】
本実施例の防振機能を有する大口径望遠ズームレンズは、物体側から順に、正の屈折力を有する第１レンズ群と、負の屈折力を有する第２レンズ群と、正の屈折力を有する第３レンズ群と、正の屈折力を有する最終レンズ群とを備え、ズーミングに際し、第１レンズ群と最終レンズ群は固定である。
【００３０】
大口径望遠ズームレンズの第１レンズ群は径が大きく重量も大きいため、第１レンズ群をズーミングに際して可動とすることは、変倍機構の大型化や複雑化を招き、結果としてレンズ鏡筒の大型化の要因となるため好ましくない。また、光学系の最も物体側にある第１レンズ群を可動とすると、ズーミングにより光学系全長が変化することとなるので、使用時に重量バランスが大きく変化して使用感が変化してしまったり、重量バランスの大きな変化によりレンズ鏡筒に撓みが生じて光学性能が悪化したりしてしまうおそれがある。
【００３１】
一方で、後述するように本実施例の防振機能を有する大口径望遠ズームレンズは防振レンズ群（光軸に対して垂直方向の成分を持つように移動させることにより像位置補正を行うレンズ群）を最終レンズ群に含む構成としているため、ズーミングに際して最終レンズ群を可動とすると、最終レンズ群に防振機構に加えて変倍機構をも搭載することが必要となり、レンズ鏡筒の複雑化や大型化を招き好ましくない。
【００３２】
また、本実施例の防振機能を有する大口径望遠ズームレンズは、最終レンズ群が、物体側から順に、レンズ群Ａ、正の屈折力のレンズ群Ｂ、レンズ群Ｃからなり、レンズ群Ａは２枚以上の正レンズと１枚以上の負レンズを有し、レンズ群Ｂは１枚以上の正レンズと１枚以上の負レンズを有し、レンズ群Ｂを光軸に対して垂直方向の成分を持つように移動させることにより像位置補正を行う。
【００３３】
本実施例では、リレー群となる最終レンズ群を、レンズ群Ａ、正の屈折力のレンズ群Ｂ及びレンズ群Ｃとして３分割し、中央に位置するレンズ群Ｂを光軸に対して垂直方向の成分を持つように移動させることにより、防振レンズ群となるレンズ群Ｂの径の大きさ及び重量を抑えることが可能となる。
【００３４】
また、本実施例では防振レンズ群となるレンズ群Ｂを正の屈折力を有することとすることで、防振機構を小型化し、レンズ鏡筒内部の省スペース化を実現している。
【００３５】
正の屈折力のレンズ群は、光軸を含み光軸に平行な平面による断面において、光軸部分から外周部分に行く従って厚さが小さくなる。これに対して負の屈折力のレンズ群は、光軸部分から外周部分に行く従って厚さが大きくなる。したがって、負の屈折力のレンズ群を保持するレンズ鏡枠は、正の屈折力のレンズ群を保持するレンズ鏡枠と比較して光軸方向の厚さが大きくなる傾向がある。
【００３６】
さらに、防振レンズ群を保持するレンズ鏡枠は、隣り合うレンズ群を保持するレンズ鏡枠と分離されて防振機構において可動であることが必要とされるが、防振レンズ群を負の屈折力とした場合は、レンズ鏡枠の光軸方向の厚さが大きくなるため、レンズ鏡枠自体の大きさや重量が増加してしまい、また、防振レンズ群の外周部分でレンズ鏡枠の防振時の可動スペースを広く必要としてしまうため好ましくない。
【００３７】
これに対して、防振レンズ群を正の屈折力とした場合は、レンズ鏡枠の光軸方向の厚さを小さくすることができるため、レンズ鏡枠自体の大きさや重量が抑えられ、また、防振レンズ群の外周部分でレンズ鏡枠の防振時の可動スペースを広く確保することを必要とせず、レンズ鏡筒内部の省スペース化に寄与する。
【００３８】
また、レンズ群Ａは、防振レンズ群であるレンズ群Ｂの物体側に位置し、２枚以上の正レンズを有することで、主に球面収差の補正をしながらレンズ群Ａに入射した光束の光線高を効果的に下げることを可能としている。これにより、レンズ群Ｂに入射する光束径を小さくすることでき、防振レンズ群であるレンズ群Ｂの径を小さくして防振機構の小型化を可能としている。
【００３９】
さらに、レンズ群Ａは、１枚以上の負レンズを有することで、レンズ群Ａに同じく含まれる２枚以上の正レンズで下げられた光線を跳ね上げて、像面側に位置する防振レンズ群であるレンズ群Ｂへ入射する光線の入射角度を緩くすることを可能としている。これにより、防振時において防振レンズ群がシフトした際の収差変動を抑えやすくすることができる。
【００４０】
また、レンズ群Ｂは、１枚以上の正レンズと１枚以上の負レンズからなる構成とすることで、防振時の色収差の発生を抑えつつ、防振レンズ群の重量を抑えることができ、防振機構の小型化が可能となる。
【００４１】
なお、防振レンズ群であるレンズ群Ｂは、１枚の正レンズと１枚の負レンズからなる接合レンズとすることで、防振レンズ群をより小型化することが可能となる。
【００４２】
防振レンズ群であるレンズ群Ｂは、防振機構の小型化や防振制御の効率性を良くするために、重量を小さくすることが望ましい。そのため、１枚の正レンズと１枚の負レンズで構成される接合レンズとすることで、防振時の色消しを実現しつつ重量を小さくすることが可能となる。
【００４３】
さらに、本実施例の防振機能を有する大口径望遠ズームレンズは、以下の条件を満足する。
（１）  ０．２＜ｆＢ／ｆＮ＜０．８５
ただし、
ｆＢ：レンズ群Ｂの焦点距離
ｆＮ：最終レンズ群の焦点距離
【００４４】
条件式（１）は、防振レンズ群と最終レンズ群との焦点距離の比について適切な範囲を規定している。
【００４５】
この条件式（１）の下限を超え、防振レンズ群であるレンズ群Ｂの焦点距離ｆＢが小さくなると、防振レンズ群の屈折力が大きくなるため、防振時の収差変動を抑えることが困難となる。
【００４６】
この条件式（１）の上限を超え、防振レンズ群であるレンズ群Ｂの焦点距離ｆＢが大きくなると、防振時の収差変動を抑えて良好な光学性能を図ることが可能となるが、防振時の像位置補正に必要な防振レンズ群の移動量が増大し、防振時の防振レンズ群の目標位置に対する追従性が損なわれ、防振機構の大型化を招くため好ましくない。
【００４７】
条件式（１）について、下限値を０．４、または、上限値を０．８とすることで、本発明の効果をさらに確実なものにすることができる。
【００４８】
さらに、本実施例の防振機能を有する大口径望遠ズームレンズは、以下の条件を満足する。
（２）  ｜ｆＢ／ｆＣ｜＜０．８
ただし、
ｆＣ：レンズ群Ｃの焦点距離
【００４９】
条件式（２）は、防振レンズ群とその像面側に位置するレンズ群との焦点距離の比について適切な範囲を規定している。
【００５０】
この条件式（２）の上限を超え、防振レンズ群の像面側に位置するレンズ群Ｃの焦点距離が小さくなると、レンズ群Ｃで発生する非点収差が大きくなり、特に波長による非点収差のずれを抑えるのが困難となる。または、防振レンズ群であるレンズ群Ｂの焦点距離ｆＢが大きくなることで、防振時の収差変動を抑えて良好な光学性能を図ることが可能となるが、防振時の像位置補正に必要な防振レンズ群の移動量が増大し、防振時の防振レンズ群の目標位置に対する追従性が損なわれ、防振機構の大型化を招くため好ましくない。
【００５１】
条件式（２）について、下限値を０．１５、または、上限値を０．６とすることで、本発明の効果をさらに確実なものにすることができる。
【００５２】
さらに、本実施例の防振機能を有する大口径望遠ズームレンズは、以下の条件を満足する。
（３）  ｜ｆＢ／ｆＡ｜＜０．５
ただし、
ｆＡ：レンズ群Ａの焦点距離
【００５３】
条件式（３）は、防振レンズ群とその物体側に位置するレンズ群との焦点距離の比について適切な範囲を規定している。
【００５４】
この条件式（３）の上限を超え、レンズ群Ａの焦点距離が小さくなると、球面収差がアンダーとなり、良好な結像性能を得ることが困難となる。また、コマ収差が大きく発生し、特に広角端側での軸外の収差補正が困難となる。または、防振レンズ群であるレンズ群Ｂの焦点距離ｆＢが大きくなることで、防振時の収差変動を抑えて良好な光学性能を図ることが可能となるが、防振時の像位置補正に必要な防振レンズ群の移動量が増大し、防振時の防振レンズ群の目標位置に対する追従性が損なわれ、防振機構の大型化を招くため好ましくない。
【００５５】
条件式（３）はその上限値を０．４とすることで、本発明の効果をさらに確実なものにすることができる。
【００５６】
さらに、本実施例の防振機能を有する大口径望遠ズームレンズは、以下の条件を満足する。
（４）  １．０＜βＣｔ×（１−βＢｔ）
ただし、
βＢｔ：レンズ群Ｂの望遠端における物体距離無限遠での横倍率
βＣｔ：レンズ群Ｃの望遠端における物体距離無限遠での横倍率
【００５７】
条件式（４）は、ズームレンズの望遠端における物体距離無限遠での防振係数について適切な範囲を規定している。防振係数を適切な範囲に設定することで、防振レンズ群の単位移動量に対する画像ブレの補正量の比である防振敏感度を適切に設定することが可能となる。
【００５８】
この条件式（４）の下限を超え、防振レンズ群であるレンズ群Ｂの移動量が大きくなると、防振機構の大型化を招き好ましくない。
【００５９】
条件式（４）について、下限値を１．２とすることで、本発明の効果をより確実なものとすることができる。
【００６０】
さらに、本実施例の防振機能を有する大口径望遠ズームレンズは、フォーカシングに際し、第２レンズ群と最終レンズ群との間に配置された少なくとも一つのレンズ群が光軸に沿って移動する。
【００６１】
フォーカシングに際し、第２レンズ群と最終レンズ群との間に配置された少なくとも一つのレンズ群が光軸に沿って移動する構成とすることで、光学性能が良好で、レンズ鏡筒の複雑化を避けた光学系とすることが可能となる。
【００６２】
フォーカシングの際に、第１レンズ群を移動させた場合、球面収差の変動が大きくなるため、近距離合焦時の光学性能を補正することが困難となる。
【００６３】
また、一般的に古典的４群ズームの第２レンズ群は、変倍時に横倍率が等倍（−１）となるズームポジションを含む。この場合、第２レンズ群の共役間距離は最小値であり、共役間距離が等倍条件よりも縮小する場合フォーカシングすることができなくなるため、第２レンズ群によるフォーカシングは不適切である。
【００６４】
また、本実施例では最終レンズ群に防振機構を搭載することとしているが、防振機構を搭載する最終レンズ群にさらにフォーカシングのための駆動機構を搭載することはレンズ鏡筒の複雑化を招くため好ましくない。
【００６５】
したがって、本実施例では、第２レンズ群と最終レンズ群の間に配置されたレンズ群をフォーカシングの際に光軸に沿って移動する構成としている。
【００６６】
さらに、本実施例の防振機能を有する大口径望遠ズームレンズは、最終レンズは物体側から順に、正の屈折力のレンズ群Ａ、正の屈折力のレンズ群Ｂ、負の屈折力のレンズ群Ｃからなる。
【００６７】
防振レンズ群であるレンズ群Ｂが含まれる最終レンズ群は、物体側から順に、正の屈折力のレンズ群Ａ、正の屈折力のレンズ群Ｂ、負の屈折力のレンズ群Ｃからなることで、適切なバックフォーカスを確保しつつ防振レンズ群の小型化を実現することが可能となる。
【００６８】
防振レンズ群であるレンズ群Ｂの径及び重量を小さくすることは、防振機構の小型化や防振制御の効率性に寄与するための最も重要な要因の一つとなる。本実施例では、上述したとおり、レンズ群Ｂの屈折力を正とすることで、防振機構を小型化し、レンズ鏡筒内部の省スペース化を可能としている。
【００６９】
レンズ群Ｂの径を小さくするためには、レンズ群Ｂを通過する光束径を小さくすればよい。本実施例では、レンズ群Ｂへ入射する光束の光線高を下げておくため、レンズ群Ｂの物体側に位置するレンズ群Ａの屈折力を正としている。
【００７０】
さらに、最終レンズ群には、結像作用と、最終レンズ群より物体側の光学系で発生した収差の打消し作用がある。レンズ群Ａとレンズ群Ｂが正の屈折力であるため、レンズ群Ｃが正の屈折力であるとすると、最終レンズ群の正の屈折力は非常に大きくなってしまうため、一眼レフカメラに対応可能な光学系全体のバックフォーカスを確保することが困難となる。また、光学系全体における収差を抑制することが困難となる。本実施例では、レンズ群Ｂの像側に位置するレンズ群Ｃの屈折力を負とすることで、十分なバックフォーカスを得ることを可能とし、また良好な光学性能を実現を可能としている。
【００７１】
さらに、本実施例の防振機能を有する大口径望遠ズームレンズは、最終レンズ群内に開口絞りを含む。
【００７２】
ズーミングやフォーカシングの際に光軸方向へ移動するレンズ群に開口絞りを配置した場合、レンズ群を光軸方向へ移動させるための駆動機構にさらに開口絞りの駆動機構が加わることとなりレンズ鏡筒内部の駆動機構が複雑化して好ましくない。本実施例では、最終レンズ群に開口絞りを含むこととすることで、レンズ鏡筒内部の駆動機構を複雑化せず、レンズ鏡筒の大型化を抑制することを可能としている。さらに、光軸方向へ移動しないレンズ群の中でも径が小さい最終レンズ群に開口絞りを配置することにより、開口絞りの径やその駆動機構を小型化することで、レンズ鏡筒の大型化を抑制することを可能としている。
【００７３】
次に、本発明の防振機能を有する大口径望遠ズームレンズに係る実施例のレンズ構成について説明する。なお、以下の説明ではレンズ構成を物体側から像側の順番で記載する。
【実施例１】
【００７４】
実施例１の防振機能を有する大口径望遠ズームレンズは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、正の屈折力を有する第５レンズ群Ｇ５からなる。また、広角端から望遠端へのズーミングに際し、第１レンズ群Ｇ１と第５レンズ群Ｇ５は像面Ｉに対して固定であり、第１レンズ群Ｇ１と第２レンズ群Ｇ２との間隔は増大し、第２レンズ群Ｇ２と第３レンズ群Ｇ３との間隔は減少し、第３レンズ群Ｇ３と第４レンズ群Ｇ４との間隔は増大し、第４レンズ群Ｇ４と第５レンズ群Ｇ５との間隔は減少する。
【００７５】
第１レンズ群Ｇ１は、物体側から順に、物体側に凸面を向けた負メニスカスレンズと物体側に凸面を向けた正メニスカスレンズの接合レンズ、物体側に凸面を向けた正メニスカスレンズ、両凸レンズからなる。
【００７６】
第２レンズ群Ｇ２は、物体側から順に、像側に凸面を向けた正メニスカスレンズと両凹レンズの接合レンズ、両凹レンズと物体側に凸面を向けた正メニスカスレンズの接合レンズ、両凹レンズからなる。
【００７７】
第３レンズ群Ｇ３は、物体側から順に、両凸レンズ、物体側に凸面を向けた正メニスカスレンズと物体側に凸面を向けた負メニスカスレンズの接合レンズからなる。また、第３レンズ群Ｇ３を光軸に沿って物体側から像側へ移動させることで無限遠距離から至近距離への合焦を行う。
【００７８】
第４レンズ群Ｇ４は、物体側から順に、物体側に凸面を向けた正メニスカスレンズ、両凹レンズからなる。
【００７９】
第５レンズ群Ｇ５は、物体側から順に、正の屈折力を有するレンズ群Ａと、正の屈折力を有するレンズ群Ｂと、負の屈折力を有するレンズ群Ｃとからなり、さらに、レンズ群Ａは、両凸レンズ、物体側に凸面を向けた正メニスカスレンズ、物体側に凸面を向けた負メニスカスレンズ、両凸レンズ、両凸レンズ、両凹レンズからなり、レンズ群Ｂは、両凸レンズと像側に凸面を向けたメニスカスレンズの接合レンズからなり、レンズ群Ｃは、両凹レンズ、両凹レンズ、両凸レンズからなる。また、レンズ群Ｂを光軸に対して垂直方向の成分を持つように移動させることにより像位置補正を行う。また、開口絞りＳは第５レンズ群Ｇ５の物体側に隣接して配置される。
【実施例２】
【００８０】
実施例２の防振機能を有する大口径望遠ズームレンズは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、正の屈折力を有する第５レンズ群Ｇ５からなる。また、広角端から望遠端へのズーミングに際し、第１レンズ群Ｇ１と第５レンズ群Ｇ５は像面Ｉに対して固定であり、第１レンズ群Ｇ１と第２レンズ群Ｇ２との間隔は増大し、第２レンズ群Ｇ２と第３レンズ群Ｇ３との間隔は減少し、第３レンズ群Ｇ３と第４レンズ群Ｇ４との間隔は増大し、第４レンズ群Ｇ４と第５レンズ群Ｇ５との間隔は減少する。
【００８１】
第１レンズ群Ｇ１は、物体側から順に、物体側に凸面を向けた負メニスカスレンズと物体側に凸面を向けた正メニスカスレンズの接合レンズ、物体側に凸面を向けた正メニスカスレンズ、両凸レンズからなる。
【００８２】
第２レンズ群Ｇ２は、物体側から順に、像側に凸面を向けた正メニスカスレンズと両凹レンズの接合レンズ、両凹レンズと物体側に凸面を向けた正メニスカスレンズの接合レンズ、両凹レンズからなる。
【００８３】
第３レンズ群Ｇ３は、物体側から順に、両凸レンズ、物体側に凸面を向けた正メニスカスレンズと物体側に凸面を向けた負メニスカスレンズの接合レンズからなる。また、第３レンズ群Ｇ３を光軸に沿って物体側から像側へ移動させることで無限遠距離から至近距離への合焦を行う。
【００８４】
第４レンズ群Ｇ４は、物体側から順に、物体側に凸面を向けた正メニスカスレンズ、像側に凸面を向けた負メニスカスレンズからなる。
【００８５】
第５レンズ群Ｇ５は、物体側から順に、正の屈折力を有するレンズ群Ａと、正の屈折力を有するレンズ群Ｂと、負の屈折力を有するレンズ群Ｃとからなり、さらに、レンズ群Ａは、両凸レンズ、物体側に凸面を向けた正メニスカスレンズ、物体側に凸面を向けた負メニスカスレンズ、両凸レンズ、両凸レンズ、両凹レンズからなり、レンズ群Ｂは、両凸レンズと像側に凸面を向けた負メニスカスレンズの接合レンズからなり、レンズ群Ｃは、両凹レンズ、両凹レンズ、両凸レンズからなる。また、レンズ群Ｂを光軸に対して垂直方向の成分を持つように移動させることにより像位置補正を行う。また、開口絞りＳは第５レンズ群Ｇ５の物体側に隣接して配置される。
【実施例３】
【００８６】
実施例３の防振機能を有する大口径望遠ズームレンズは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、正の屈折力を有する第５レンズ群Ｇ５からなる。また、広角端から望遠端へのズーミングに際し、第１レンズ群Ｇ１と第５レンズ群Ｇ５は像面Ｉに対して固定であり、第１レンズ群Ｇ１と第２レンズ群Ｇ２との間隔は増大し、第２レンズ群Ｇ２と第３レンズ群Ｇ３との間隔は減少し、第３レンズ群Ｇ３と第４レンズ群Ｇ４との間隔は増大し、第４レンズ群Ｇ４と第５レンズ群Ｇ５との間隔は減少する。
【００８７】
第１レンズ群Ｇ１は、物体側から順に、物体側に凸面を向けた負メニスカスレンズと両凸レンズの接合レンズ、物体側に凸面を向けた正メニスカスレンズ、物体側に凸面を向けた正メニスカスレンズからなる。
【００８８】
第２レンズ群Ｇ２は、物体側から順に、像側に凸面を向けた正メニスカスレンズと両凹レンズの接合レンズ、両凹レンズと物体側に凸面を向けた正メニスカスレンズの接合レンズ、両凹レンズからなる。
【００８９】
第３レンズ群Ｇ３は、物体側から順に、両凸レンズ、物体側に凸面を向けた正メニスカスレンズと物体側に凸面を向けた負メニスカスレンズの接合レンズからなる。また、第３レンズ群Ｇ３を光軸に沿って物体側から像側へ移動させることで無限遠距離から至近距離への合焦を行う。
【００９０】
第４レンズ群Ｇ４は、物体側から順に、両凸レンズ、両凹レンズからなる。
【００９１】
第５レンズ群Ｇ５は、物体側から順に、正の屈折力を有するレンズ群Ａと、正の屈折力を有するレンズ群Ｂと、負の屈折力を有するレンズ群Ｃとからなり、さらに、レンズ群Ａは、物体側に凸面を向けた正メニスカスレンズ、両凸レンズ、両凸レンズ、両凹レンズからなり、レンズ群Ｂは、両凸レンズと像側に凸面を向けた負メニスカスレンズの接合レンズからなり、レンズ群Ｃは、両凹レンズ、物体側に凸面を向けた正メニスカスレンズ、両凸レンズからなる。また、レンズ群Ｂを光軸に対して垂直方向の成分を持つように移動させることにより像位置補正を行う。また、開口絞りＳは第５レンズ群Ｇ５の物体側に隣接して配置される。
【実施例４】
【００９２】
実施例４の防振機能を有する大口径望遠ズームレンズは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、正の屈折力を有する第５レンズ群Ｇ５からなる。また、広角端から望遠端へのズーミングに際し、第１レンズ群Ｇ１と第５レンズ群Ｇ５は像面Ｉに対して固定であり、第１レンズ群Ｇ１と第２レンズ群Ｇ２との間隔は増大し、第２レンズ群Ｇ２と第３レンズ群Ｇ３との間隔は減少し、第３レンズ群Ｇ３と第４レンズ群Ｇ４との間隔は増大し、第４レンズ群Ｇ４と第５レンズ群Ｇ５との間隔は減少する。
【００９３】
第１レンズ群Ｇ１は、物体側から順に、物体側に凸面を向けた負メニスカスレンズと物体側に凸面を向けた正メニスカスレンズの接合レンズ、物体側に凸面を向けた正メニスカスレンズ、両凸レンズからなる。
【００９４】
第２レンズ群Ｇ２は、物体側から順に、像側に凸面を向けた正メニスカスレンズと両凹レンズの接合レンズ、両凹レンズと物体側に凸面を向けた正メニスカスレンズの接合レンズ、両凹レンズからなる。
【００９５】
第３レンズ群Ｇ３は、物体側から順に、両凸レンズ、物体側に凸面を向けた正メニスカスレンズと物体側に凸面を向けた負メニスカスレンズの接合レンズからなる。また、第３レンズ群Ｇ３を光軸に沿って物体側から像側へ移動させることで無限遠距離から至近距離への合焦を行う。
【００９６】
第４レンズ群Ｇ４は、物体側から順に、物体側に凸面を向けた正メニスカスレンズ、像側に凸面を向けた負メニスカスレンズからなる。
【００９７】
第５レンズ群Ｇ５は、物体側から順に、正の屈折力を有するレンズ群Ａと、正の屈折力を有するレンズ群Ｂと、負の屈折力を有するレンズ群Ｃとからなり、さらに、レンズ群Ａは、両凸レンズ、物体側に凸面を向けた正メニスカスレンズと物体側に凸面を向けた負メニスカスレンズの接合レンズ、両凸レンズ、両凸レンズ、両凹レンズからなり、レンズ群Ｂは、両凸レンズと像側に凸面を向けた負メニスカスレンズの接合レンズからなり、レンズ群Ｃは、両凹レンズ、物体側に凸面を向けた負メニスカスレンズ、両凸レンズからなる。また、レンズ群Ｂを光軸に対して垂直方向の成分を持つように移動させることにより像位置補正を行う。また、開口絞りＳは第５レンズ群Ｇ５の物体側に隣接して配置される。
【実施例５】
【００９８】
実施例５の防振機能を有する大口径望遠ズームレンズは、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４からなる。また、広角端から望遠端へのズーミングに際し、第１レンズ群Ｇ１と第４レンズ群Ｇ４は像面Ｉに対して固定であり、第１レンズ群Ｇ１と第２レンズ群Ｇ２との間隔は増大し、第２レンズ群Ｇ２と第３レンズ群Ｇ３との間隔は減少し、第３レンズ群Ｇ３と第４レンズ群Ｇ４との間隔は減少する。
【００９９】
第１レンズ群Ｇ１は、物体側から順に、物体側に凸面を向けた負メニスカスレンズと両凸レンズの接合レンズ、物体側に凸面を向けた正メニスカスレンズ、物体側に凸面を向けた正メニスカスレンズからなる。
【０１００】
第２レンズ群Ｇ２は、物体側から順に、像側に凸面を向けた正メニスカスレンズと両凹レンズの接合レンズ、両凹レンズと物体側に凸面を向けた正メニスカスレンズの接合レンズ、両凹レンズからなる。
【０１０１】
第３レンズ群Ｇ３は、物体側から順に、両凸レンズ、両凸レンズと像側に凸面を向けた負メニスカスレンズの接合レンズからなる。また、第３レンズ群Ｇ３を光軸に沿って物体側から像側へ移動させることで無限遠距離から至近距離への合焦を行う。
【０１０２】
第４レンズ群Ｇ４は、物体側から順に、正の屈折力を有するレンズ群Ａと、正の屈折力を有するレンズ群Ｂと、負の屈折力を有するレンズ群Ｃとからなり、さらに、レンズ群Ａは、物体側に凸面を向けた正メニスカスレンズ、両凸レンズ、両凸レンズ、両凹レンズからなり、レンズ群Ｂは、両凸レンズと像側に凸面を向けた負メニスカスレンズの接合レンズからなり、レンズ群Ｃは、両凹レンズ、物体側に凸面を向けた正メニスカスレンズ、両凸レンズからなる。また、レンズ群Ｂを光軸に対して垂直方向の成分を持つように移動させることにより像位置補正を行う。また、開口絞りＳは第４レンズ群Ｇ４の物体側に隣接して配置される。
【０１０３】
次に、本発明の防振機能を有する大口径望遠ズームレンズに係る実施例の数値実施例と条件式対応値について説明する。
【０１０４】
［面データ］において、面番号は物体側から数えたレンズ面または開口絞りの番号、ｒは各レンズ面の曲率半径、ｄは各レンズ面の間隔、ｎｄはｄ線（波長５８７．５６ｎｍ）に対する屈折率、ｖｄはｄ線に対するアッベ数を示している。
【０１０５】
面番号に付した（絞り）は、その位置に開口絞りが位置していることを示している。平面または開口絞りに対する曲率半径には∞（無限大）を記入している。また、ＢＦはバックフォーカスを表している。
【０１０６】
［各種データ］には、無限遠合焦時における焦点距離等の値を示している。
【０１０７】
［可変間隔データ］には、各焦点距離での各物体距離合焦時におけるレンズ面の可変間隔の値を示している。
【０１０８】
［レンズ群データ］には、各レンズ群を構成する最も物体側のレンズ面番号及びレンズ群全体の合成焦点距離を示している。
【０１０９】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１１０】
数値実施例１
単位：mm
［面データ］
面番号            r              d             nd             vd
物面                  ∞             ∞
1             199.8642         2.0000        1.90043          37.37
2              84.0071         8.8201        1.49700          81.60
3            2110.7249         0.1000
4             120.8623         5.3366        1.43700          95.10
5             510.4138         0.1500
6              83.8199         8.7347        1.49700          81.60
7           -3360.1368           (d7)
8            -953.2308         4.0755        1.95375          32.31
9             -68.7102         1.3000        1.72916          54.67
10              54.1632         4.4763
11            -359.1488         1.2000        1.49700          81.60
12              42.6405         4.1226        1.84666          23.78
13             125.5853         3.5190
14             -71.2249         1.2000        1.88100          40.13
15             159.7077          (d15)
16             124.3244         4.3285        1.80420          46.50
17            -114.3652         0.1000
18              51.6768         3.3868        1.49700          81.60
19             101.2748         1.2000        1.84666          23.78
20              51.5464          (d20)
21              70.3119         3.7354        1.80610          33.26
22            4973.3219         2.6454
23             -64.0094         1.0000        1.71736          29.50
24       519518817.1938          (d24)
25(絞り)             ∞         1.5000
26              58.0411         4.7657        1.59282          68.62
27            -286.0675         0.1500
28              30.2830         4.4171        1.43700          95.10
29              71.4454         0.7168
30             111.6777         1.2000        1.90366          31.31
31              38.1435         1.5201
32              65.7531         4.8939        1.84666          23.78
33            -118.9102         1.5000
34             206.1770         3.0000        1.59282          68.62
35             -87.4254         0.2434
36             -72.0106         1.0000        1.80610          33.26
37              28.3134         2.9470
38              42.0389         6.4699        1.72916          54.67
39             -39.5709         1.0000        1.80518          25.45
40            -136.3209         3.8223
41             -40.0636         1.0000        1.80420          46.50
42             142.3658         2.8837
43            -264.9593         1.0000        1.80610          33.26
44             136.5555         0.1000
45              89.5886         6.1200        1.80518          25.45
46             -51.5592           (BF)
像面                  ∞
［各種データ］
ズーム比              2.71
広角           中間           望遠
焦点距離             71.80         118.00         194.50
Fナンバー             2.88           2.88           2.88
全画角2ω            34.02          20.58          12.45
像高Y              21.63          21.63          21.63
レンズ全長           235.27         235.27         235.27
［可変間隔データ］
広角           中間           望遠
d7               2.1328        28.1110        45.3852
d15             25.1524        16.8365         1.5000
d20             13.1898         7.8480        16.2185
d24             24.1287        11.8080         1.5000
BF              58.9821        58.9823        58.9821
［レンズ群データ］
群            始面         焦点距離
G1              1               121.49
G2              8               -32.18
G3             16                90.57
G4             21              1428.12
G5             25                84.11
A             25               276.15
B             38                47.57
C             41              -142.04
【０１１１】
数値実施例２
単位：mm
［面データ］
面番号            r              d             nd             vd
物面                  ∞             ∞
1             177.9101         2.0000        1.90043          37.37
2              81.2302         8.9034        1.49700          81.60
3            1290.3275         0.1000
4             117.7714         5.2024        1.43700          95.10
5             419.6781         0.1500
6              83.6394         8.7989        1.49700          81.60
7           -2403.4728           (d7)
8            -639.4027         3.4487        1.95375          32.31
9             -82.8852         1.3000        1.72916          54.67
10              48.4068         5.3887
11            -153.8241         1.2000        1.49700          81.60
12              49.2367         4.1964        1.84666          23.78
13             234.1091         3.1104
14             -69.4613         1.2000        1.88100          40.13
15             451.0552          (d15)
16             174.2298         4.3752        1.80420          46.50
17             -95.2422         0.1000
18              63.9730         3.5125        1.49700          81.60
19             181.3712         1.2000        1.84666          23.78
20              72.0663          (d20)
21              74.7075         3.4758        1.80610          33.26
22             951.0826         2.7127
23             -66.2280         1.0000        1.69895          30.05
24           -2207.8273          (d24)
25(絞り)             ∞         1.5000
26              50.3411         5.2214        1.59282          68.62
27            -606.9618         0.1500
28              29.0334         4.0475        1.43700          95.10
29              56.6343         0.6914
30              78.8885         1.2000        1.90366          31.31
31              33.1333         2.1324
32              73.6627         3.7932        1.84666          23.78
33            -111.0651         1.5000
34             216.5746         3.0000        1.59282          68.62
35             -81.4936         0.2723
36             -66.5483         1.0000        1.80610          33.26
37              28.4744         2.8158
38              40.8001         6.5400        1.72916          54.67
39             -38.0897         1.0000        1.80518          25.45
40            -129.5011         3.6362
41             -41.8855         1.0000        1.83481          42.72
42             127.9370         2.6001
43            -131.5660         1.0000        1.77250          49.62
44             397.8688         0.1000
45              99.6653         6.0638        1.80518          25.45
46             -51.4337           (BF)
像面                  ∞
［各種データ］
ズーム比              2.71
広角           中間           望遠
焦点距離             71.80         118.00         194.50
Fナンバー             2.88           2.88           2.88
全画角2ω            34.20          20.62          12.45
像高Y              21.63          21.63          21.63
レンズ全長           233.58         233.58         233.58
［可変間隔データ］
広角           中間           望遠
d7               2.1977        28.2824        44.6577
d15             28.2201        18.3072         1.5000
d20             11.3658         7.1168        17.2541
d24             23.1284        11.2055         1.5000
BF              58.0300        58.0300        58.0300
［レンズ群データ］
群            始面         焦点距離
G1              1               118.66
G2              8               -32.73
G3             16                86.31
G4             21              4712.71
G5             25                94.27
A             25               574.62
B             38                45.97
C             41              -133.77
【０１１２】
数値実施例３
単位：mm
［面データ］
面番号            r              d             nd             vd
物面                  ∞             ∞
1             224.6680         2.0000        1.90043          37.37
2              84.8620         9.0929        1.49700          81.60
3           -6176.4610         0.1000
4              94.8644         6.7382        1.43700          95.10
5             531.3713         0.1500
6              95.3796         7.6518        1.49700          81.60
7           10195.5979           (d7)
8            -620.2712         4.1674        1.95375          32.31
9             -65.7173         1.3000        1.72916          54.67
10              55.1092         4.2391
11            -665.6875         1.2000        1.49700          81.60
12              37.1820         4.5383        1.84666          23.78
13             106.4411         3.6073
14             -75.5203         1.2000        1.88100          40.13
15             120.8711          (d15)
16             109.1457         4.4638        1.80420          46.50
17            -116.1356         0.1000
18              55.3912         3.1803        1.49700          81.60
19             104.4397         1.2000        1.84666          23.78
20              51.5464          (d20)
21              66.9867         3.9940        1.80610          33.26
22           -1491.3750         2.4235
23             -66.0132         1.0000        1.80518          25.45
24            3799.5230          (d24)
25(絞り)             ∞         1.5000
26             105.1387         2.9184        1.59282          68.62
27             634.3660         0.7414
28              32.8101         8.4635        1.43700          95.10
29            -127.2007         3.2203
30              77.9946         4.4671        1.84666          23.78
31            -139.9735         1.3218
32             -74.7530         1.0000        1.80610          33.26
33              24.9458         3.7581
34              46.1039         6.0000        1.72916          54.67
35             -52.6345         1.0000        1.80518          25.45
36            -239.5955         4.1888
37             -48.2699         1.0000        1.80420          46.50
38              62.9754         0.5031
39              48.0673         2.6871        1.55032          75.49
40              93.9161         1.7943
41             227.4829         4.5267        1.80518          25.45
42             -59.0007           (BF)
像面                  ∞
［各種データ］
ズーム比              2.71
広角           中間           望遠
焦点距離             71.79         117.99         194.48
Fナンバー             2.88           2.88           2.88
全画角2ω            33.94          20.56          12.44
像高Y              21.63          21.63          21.63
レンズ全長           234.52         234.52         234.52
［可変間隔データ］
広角           中間           望遠
d7               2.3258        28.1241        45.5356
d15             23.6078        15.9896         1.5000
d20             12.7538         7.7200        15.5253
d24             25.4156        12.2693         1.5423
BF              58.9779        58.9779        58.9774
［レンズ群データ］
群            始面         焦点距離
G1              1               121.63
G2              8               -31.56
G3             16                90.43
G4             21              1164.53
G5             25                81.56
A             25               215.20
B             38                56.82
C             41              -224.97
【０１１３】
数値実施例４
単位：mm
［面データ］
面番号            r              d             nd             vd
物面                  ∞             ∞
1             217.6602         2.0000        1.90043          37.37
2              84.4906         9.0262        1.49700          81.60
3          103920.4740         0.1000
4             112.9348         5.7813        1.43700          95.10
5             559.2180         0.1500
6              84.3181         8.6764        1.49700          81.60
7           -4052.7174           (d7)
8            -776.7262         4.0870        1.95375          32.31
9             -66.6563         1.3000        1.72916          54.67
10              50.9251         4.7241
11            -321.8018         1.2000        1.49700          81.60
12              40.4974         4.5056        1.85478          24.79
13             142.7074         3.4357
14             -69.7326         1.2000        1.88100          40.13
15             151.8686          (d15)
16             132.7071         4.3761        1.77250          49.62
17            -105.2215         0.1000
18              51.2062         3.1362        1.49700          81.60
19              85.9460         1.2000        1.84666          23.78
20              51.5464          (d20)
21              66.6654         3.7186        1.80610          33.26
22             894.2916         2.7693
23             -64.3462         1.0000        1.80518          25.45
24            -625.8780          (d24)
25(絞り)             ∞         1.5000
26             133.6757         2.7297        1.59282          68.62
27            -544.6125         0.1500
28              39.6309         5.1613        1.43700          95.10
29             649.9062         1.2000        1.69895          30.05
30              56.9420         0.5183
31              70.4549         4.3954        1.84666          23.78
32            -124.4160         1.9570
33              84.8595         5.4865        1.59282          68.62
34             -54.7509         0.1000
35             -52.7989         1.0000        1.80610          33.26
36              29.0053         3.1443
37              46.1405         5.7169        1.77250          49.62
38             -62.3510         1.0000        1.80518          25.45
39            -422.1382         3.4996
40             -57.1422         1.0000        1.83481          42.72
41              82.8268         4.5505
42             215.1408         1.0000        1.80610          33.26
43              61.7413         0.1000
44              56.4943         6.1200        1.80518          25.45
45             -80.3584           (BF)
像面                  ∞
［各種データ］
ズーム比              2.71
広角           中間           望遠
焦点距離             71.80         118.00         194.50
Fナンバー             3.04           3.04           3.04
全画角2ω            33.97          20.57          12.45
像高Y              21.63          21.63          21.63
レンズ全長           235.28         235.28         235.28
［可変間隔データ］
広角           中間           望遠
d7               2.1847        27.6750        44.4199
d15             25.4823        16.9292         1.5000
d20             13.5998         7.7344        16.0671
d24             22.2202        11.1479         1.5000
BF              58.9821        58.9823        58.9820
［レンズ群データ］
群            始面         焦点距離
G1              1               119.03
G2              8               -31.72
G3             16                88.38
G4             21              1627.23
G5             25                85.63
A             25               193.76
B             38                55.45
C             41              -140.15
【０１１４】
数値実施例５
単位：mm
［面データ］
面番号            r              d             nd             vd
物面                  ∞             ∞
1             384.7201         2.0000        1.90043          37.37
2             109.8270         8.6414        1.49700          81.60
3            -362.7224         0.1000
4              91.9215         5.2505        1.43700          95.10
5             207.0166         0.1500
6              87.7882         7.7185        1.49700          81.60
7             895.4202           (d7)
8            -654.9058         4.5252        1.95375          32.31
9             -54.6424         1.3000        1.72916          54.67
10              52.9587         4.7132
11            -144.7030         1.2000        1.49700          81.60
12              46.8294         4.0218        1.84666          23.78
13             239.9233         3.4805
14             -50.4586         1.2000        1.88100          40.13
15             171.3840          (d15)
16             522.9187         4.2486        1.80420          46.50
17             -65.7046         0.1000
18             103.2973         7.0011        1.59282          68.62
19             -47.3428         1.0000        1.80610          33.26
20           -1629.1411          (d20)
21(絞り)             ∞         1.5000
22              37.7018         4.4543        1.59282          68.62
23              90.1170         4.6034
24              31.8045         7.3827        1.43700          95.10
25            -161.9483         0.1000
26             167.6447         3.7654        1.84666          23.78
27            -124.6253         0.8215
28             -82.7764         1.0000        1.80610          33.26
29              23.6398         3.8013
30              42.1431         6.0000        1.72916          54.67
31             -59.0966         1.0000        1.80518          25.45
32            -288.5801         5.2556
33             -38.2974         1.0000        1.80420          46.50
34              59.9244         0.1000
35              48.1067         2.2624        1.55032          75.49
36              73.1611         0.5178
37             100.3101         5.2641        1.80518          25.45
38             -55.3973           (BF)
像面                  ∞
［各種データ］
ズーム比              2.71
広角           中間           望遠
焦点距離             71.80         117.99         194.50
Fナンバー             3.04           3.04           3.04
全画角2ω            34.49          20.73          12.44
像高Y              21.63          21.63          21.63
レンズ全長           228.59         228.59         228.59
［可変間隔データ］
広角           中間           望遠
d7               2.4766        32.9404        52.3411
d15             17.6908        11.8824         2.0525
d20             44.9157        20.2604        10.6892
BF              58.0300        58.0301        58.0302
［レンズ群データ］
群            始面         焦点距離
G1              1               128.01
G2              8               -27.82
G3             16                63.32
G4             21                93.10
A             21               409.59
B             30                53.50
C             33              -169.88
【０１１５】
［条件式対応値］
条件式１  条件式２  条件式３  条件式４
実施例     fB/fN     |fB/fC|   fB/fA    βCt×(1-βBt)
1        0.57       0.33     0.17     1.50
2        0.49       0.34     0.08     1.53
3        0.70       0.25     0.26     1.25
4        0.65       0.40     0.29     1.31
5        0.57       0.31     0.13     1.34
【符号の説明】
【０１１６】
Ｇ１      第１レンズ群
Ｇ２      第２レンズ群
Ｇ３      第３レンズ群
Ｇ４      第４レンズ群
Ｇ５      第５レンズ群
Ｓ        開口絞り
Ｉ        像面
【図１】
2018072581.tif 000003
【図２】
2018072581.tif 000004
【図３】
2018072581.tif 000005
【図４】
2018072581.tif 000006
【図５】
2018072581.tif 000007
【図６】
2018072581.tif 000008
【図７】
2018072581.tif 000009
【図８】
2018072581.tif 000010
【図９】
2018072581.tif 000011
【図１０】
2018072581.tif 000012
【図１１】
2018072581.tif 000013
【図１２】
2018072581.tif 000014
【図１３】
2018072581.tif 000015
【図１４】
2018072581.tif 000016
【図１５】
2018072581.tif 000017
【図１６】
2018072581.tif 000018
【図１７】
2018072581.tif 000019
【図１８】
2018072581.tif 000020
【図１９】
2018072581.tif 000021
【図２０】
2018072581.tif 000022
【図２１】
2018072581.tif 000023
【図２２】
2018072581.tif 000024
【図２３】
2018072581.tif 000025
【図２４】
2018072581.tif 000026
【図２５】
2018072581.tif 000027
【図２６】
2018072581.tif 000028
【図２７】
2018072581.tif 000029
【図２８】
2018072581.tif 000030
【図２９】
2018072581.tif 000031
【図３０】
2018072581.tif 000032
【図３１】
2018072581.tif 000033
【図３２】
2018072581.tif 000034
【図３３】
2018072581.tif 000035
【図３４】
2018072581.tif 000036
【図３５】
2018072581.tif 000037
【図３６】
2018072581.tif 000038
【図３７】
2018072581.tif 000039
【図３８】
2018072581.tif 000040
【図３９】
2018072581.tif 000041
【図４０】
2018072581.tif 000042
【図４１】
2018072581.tif 000043
【図４２】
2018072581.tif 000044
【図４３】
2018072581.tif 000045
【図４４】
2018072581.tif 000046
【図４５】
2018072581.tif 000047
【図４６】
2018072581.tif 000048
【図４７】
2018072581.tif 000049
【図４８】
2018072581.tif 000050
【図４９】
2018072581.tif 000051
【図５０】
2018072581.tif 000052